【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】
【請求項１】  単離された核酸分子であって、以下：
（ａ）配列番号１のポリヌクレオチドフラグメント、またはＡＴＣＣ受託番号２０９６４１または２０９６９１に含まれるｃＤＮＡ配列のポリヌクレオチドフラグメント；
（ｂ）配列番号２のポリペプチドフラグメントをコードするポリヌクレオチド、またはＡＴＣＣ受託番号２０９６４１または２０９６９１に含まれるｃＤＮＡ配列；
（ｃ）配列番号２のポリペプチドドメインをコードするポリヌクオチド、またはＡＴＣＣ受託番号２０９６４１または２０９６９１に含まれるｃＤＮＡ配列；
（ｄ）配列番号２のポリペプチドエピトープをコードするポリヌクオチド、またはＡＴＣＣ受託番号２０９６４１または２０９６９１に含まれるｃＤＮＡ配列；
（ｅ）生物学的活性を有する、配列番号２のポリペプチドをコードするポリヌクオチド、またはＡＴＣＣ受託番号２０９６４１または２０９６９１に含まれるｃＤＮＡ配列；
（ｆ）配列番号１の改変体である、ポリヌクレオチド；
（ｇ）配列番号１の対立遺伝子改変体である、ポリヌクレオチド；
（ｈ）配列番号２の種ホモログをコードする、ポリヌクレオチド；
（ｉ）（ａ）〜（ｈ）に特定されたポリヌクレオチドのいずれか１つに対してストリンジェントな条件下でハイブリダイズし得るポリヌクレオチドであって、ここで、該ポリヌクレオチドは、Ａ残基のみまたはＴ残基のみのヌクレオチド配列を有する核酸分子に対してストリンジェントな条件下でハイブリダイズしない、ポリヌクレオチド、
からなる群より選択される配列に少なくとも９５％同一であるヌクレオチド配列を有するポリヌクレオチドを含有する、単離された核酸分子。
【請求項２】  前記ポリヌクレオチドフラグメントが成熟形態または分泌型タンパク質をコードするヌクレオチド配列を含む、請求項１に記載の単離された核酸分子。
【請求項３】  前記ポリヌクレオチドフラグメントが、配列番号２として同定された配列をコードするヌクレオチド配列、またはＡＴＣＣ受託番号２０９６４１または２０９６９１に含まれるコード配列を含む、請求項１に記載の単離された核酸分子。
【請求項４】  前記ポリヌクレオチドフラグメントが、配列番号１の全ヌクレオチド配列、またはＡＴＣＣ受託番号２０９６４１または２０９６９１に含まれるｃＤＮＡ配列を含む、請求項１に記載の単離された核酸分子。
【請求項５】  前記ヌクレオチド配列が、Ｃ末端またはＮ末端のいずれかから連続するヌクレオチドの欠失を含む、請求項２に記載の単離された核酸分子。
【請求項６】  前記ヌクレオチド配列が、Ｃ末端またはＮ末端のいずれかから連続するヌクレオチドの欠失を含む、請求項３に記載の単離された核酸分子。
【請求項７】  請求項１に記載の単離された核酸分子を含有する、組換えベクター。
【請求項８】  請求項１に記載の単離された核酸分子を含有する組換え宿主細胞を作製する、方法。
【請求項９】  請求項８に記載の方法によって産生された、組換え宿主細胞。
【請求項１０】  ベクター配列を含有する、請求項９に記載の組換え宿主細胞。
【請求項１１】  単離されたポリペプチドであって、以下：
（ａ）配列番号２のポリペプチドフラグメント、またはＡＴＣＣ受託番号２０９６４１または２０９６９１に含まれるコードされる配列；
（ｂ）生物学的活性を有する、配列番号２のポリペプチドフラグメント、またはＡＴＣＣ受託番号２０９６４１または２０９６９１に含まれるコードされる配列；
（ｃ）配列番号２のポリペプチドドメイン、またはＡＴＣＣ受託番号２０９６４１または２０９６９１に含まれるコードされる配列；
（ｄ）配列番号２のポリペプチドエピトーブ、またはＡＴＣＣ受託番号２０９６４１または２０９６９１に含まれるコードされる配列；
（ｅ）分泌型タンパク質の成熟形態；
（ｆ）全長の分泌型タンパク質；
（ｇ）配列番号２の改変体；
（ｈ）配列番号２の対立遺伝子改変体；または
（ｉ）配列番号２の種ホモログ、
からなる群より選択される配列に少なくとも９５％同一であるアミノ酸配列を含む、単離されたポリペプチド。
【請求項１２】  前記成熟形態または前記全長の分泌型タンパク質が、Ｃ末端またはＮ末端のいずれかから連続するアミノ酸の欠失を含む、請求項１１に記載の単離されたポリペプチド。
【請求項１３】  請求項１１に記載の単離されたポリペプチドに特異的に結合する、単離された抗体。
【請求項１４】  請求項１１に記載の単離されたポリペプチドを発現する、組換え宿主細胞。
【請求項１５】  単離されたポリペプチドを作製する方法であって、以下：
（ａ）該ポリペプチドが発現されるような条件下で、請求項１４に記載の組換え宿主細胞を培養する工程；および
（ｂ）該ポリペプチドを回収する工程、
を包含する、方法。
【請求項１６】  請求項１５に記載の方法によって産生される、ポリペプチド。
【請求項１７】  請求項１１に記載のポリペプチドの治療的有効量を含む、医学的状態を予防、処置、または緩和するための、組成物。
【請求項１８】  請求項１に記載のポリヌクレオチドの治療的有効量を含む、医学的状態を予防、処置、または緩和するための、組成物。
【請求項１９】  分泌型タンパク質の発現または活性に関連する被験体における病理学的状態、またはその病理学的状態に対する感受性を診断する方法であって、以下：
（ａ）請求項１に記載のポリヌクレオチド中の変異の存在または非存在を決定する工程；
（ｂ）該変異の存在または非存在に基づいて、病理学的状態または病理学的状態に対する感受性を診断する工程、
を包含する、方法。
【請求項２０】  分泌型タンパク質の発現または活性に関連する被験体における病理学的状態、またはそれらの病理学的状態に対する感受性を診断する方法であって、以下：
（ａ）生物学的サンプルにおいて請求項１１に記載のポリペプチドの存在またはその発現量を決定する工程；
（ｂ）該ポリペプチドの存在またはその発現量に基づいて、病理学的状態または病理学的状態に対する感受性を診断する工程、
を包含する、方法。
【請求項２１】  請求項１１に記載のポリペプチドに対する結合パートナーを同定するための方法であって、以下：
（ａ）結合パートナーと請求項１１に記載のポリペプチドとを接触させる工程；および
（ｂ）該結合パートナーが該ポリペプチドの活性にもたらすかどうかを決定する工程、
を包含する、方法。
【請求項２２】  配列番号２のｃＤＮＡ配列に対応する、遺伝子。
【請求項２３】  生物学的アッセイにおいて活性を同定する方法であって、以下：
（ａ）細胞中で配列番号１を発現させる工程；
（ｂ）上清を単離する工程；
（ｃ）生物学的アッセイにおいて活性を決定する工程；および
（ｄ）該活性を有する該上清中のタンパク質を同定する工程、
を包含する、方法。
【請求項２４】  請求項２３に記載の方法によって産生された、産物。
【手続補正２】
【補正対象書類名】明細書
【補正対象項目名】００１９
【補正方法】削除
【補正の内容】
【手続補正３】
【補正対象書類名】明細書
【補正対象項目名】００２４
【補正方法】変更
【補正の内容】
【００２４】
ＢＬＡＳＴ分析を使用して、配列番号２は、サイトカインレセプターファミリーのメンバーのホモログであることが見出された。詳細には、配列番号２は、以下の保存されたドメインを含有する、インターロイキン−２レセプターγについてのＢｏｓ  Ｔａｕｒｕｓ  ｍＲＮＡ（登録番号１５３２０８８）（図２）（配列番号３）の翻訳産物に対して相同であるドメインを含み、これは以下の保存されたドメインを含む：（ａ）およそアミノ酸２２６−２６０に位置する推定の膜貫通ドメイン；（ｂ）推定のＷＸＷＳ（配列番号３０）、または［ＳＴＧＬ］−ｘ−Ｗ−［ＳＧ］−ｘ−Ｗ−Ｓ（配列番号１８）、およそアミノ酸１９８−２０４に位置するドメイン（Ｔ−ｘ−Ｐ−Ｓ−ｘ−Ｗ−Ｓ）（配列番号１９）、しかし、完全には適合しない；および（ｃ）推定のＪａｋ  Ｂｏｘ（モチーフＷ（Ｐ，Ｅ）Ｘ（Ｖ，Ｉ）Ｐ（Ｎ，Ｓ，Ｄ）Ｐ（配列番号２０）を有する）、およそアミノ酸２６１−２６８に位置するドメイン（Ｉ−Ｐ−Ｘ−Ｖ−Ｐ−Ｄ−Ｐ）（配列番号２１）、しかし、完全には適合しない。ＣＲＣＧＣＬのこれらのポリペプチドフラグメントが、本発明において特に意図される。インターロイキン−２レセプターγ（登録番号１５３２０８８）がサイトカインレセプターとして重要である。
さらに、コードされたポリペプチドは、およそアミノ酸１−２２に位置する推定リーダー配列を有する。（図１Ａ−１Ｂを参照のこと。）また、図１Ａ−１Ｂに示すように、ＣＲＣＧＣＬの分泌型形態の１つの実施態様は、およそアミノ酸２３−３７１、アミノ酸２３−２２５、またはアミノ酸１−２３１を含む。ＣＲＣＧＣＬのこれらのポリペプチドフラグメントが本発明において特に意図される。